(57)【要約】      （修正有）【課題】女性が一人で使用できると共に、自然の性交に近い性的刺激を得られる膣のマッサージ器具を提供する。【解決手段】柔軟で弾力性のある合成樹脂素材によって膣に挿入可能な長さ及び太さを有する丸棒状の本体１を形成し、本体１の一方端に指掛け孔５ａを有する指掛け部５を設けると共に、その他の部分は少なくとも他方端を球面状とした挿入部４とし、本体１全体を一方向に湾曲させるという手段を採用した。そして、湾曲する本体１の外側に凸の湾曲面は、自然なカーブを描く平滑曲面２とし、内側に凹の湾曲面の挿入部４には、１乃至複数の凹凸からなる凹凸曲面３を形成した。具体的には、挿入部４は、先端部には球面状とした肉球部４ａを有すると共に、その肉球部４ａから内側の凹凸曲面側に第一括れ部４ｂを形成し、第一括れ部４ｂに連続して肉厚部４ｃを形成し、さらに連続して第二括れ部４ｄを形成して、指掛け部に５接続した。【選択図】図１
2014094128.tif 000002
【特許請求の範囲】
【請求項１】
柔軟で弾力性のある合成樹脂素材によって膣に挿入可能な長さ及び太さを有する丸棒状の本体を形成し、当該本体の一方端に指掛け孔を有する指掛け部を設けると共に、その他の部分は少なくとも他方端を球面状とした挿入部とし、上記本体全体を一方向に湾曲させたことを特徴とする膣のマッサージ器具。
【請求項２】
上記湾曲する本体の、外側に凸の湾曲面は、自然なカーブを描く平滑曲面とし、内側に凹の湾曲面の挿入部には、１乃至複数の凹凸からなる凹凸曲面を形成したものである、請求項１記載の膣のマッサージ器具。
【請求項３】
上記挿入部は、先端部には球面状とした肉球部を有すると共に、その肉球部から内側の凹凸曲面側に第一括れ部を形成した請求項２記載の膣のマッサージ器具。
【請求項４】
上記挿入部は、凹凸曲面側に、上記第一括れ部に連続して肉厚部を形成し、さらに連続して第二括れ部を形成して、上記指掛け部に接続した請求項３記載の膣のマッサージ器具。
【請求項５】
上記指掛け部は偏平として上記平滑曲面と凹凸曲面とを連通して指掛け孔を穿設すると共に、この指掛け孔は、その断面形状が四角形の各辺を内側に湾曲させた形状としてこの孔に挿入する指を挟持するようにしたものである請求項２から請求項４の何れか１項記載の膣のマッサージ器具。
【請求項６】
上記本体は、エラストマー又はシリコン樹脂で成形したものである請求項１から請求項５の何れか１項記載の膣のマッサージ器具。
【請求項７】
上記挿入部の内部に、屈曲可能な骨材を設けた請求項１から請求項５の何れか１項記載の膣のマッサージ器具。
【請求項８】
上記骨材は、両端に凹球面を有する円柱材の間に球体を介在させ、複数の円柱材を屈曲可能に連続して形成したものである請求項７記載の膣のマッサージ器具。
【発明の詳細な説明】
【技術分野】
【０００１】
この発明は、女性が一人で膣に挿入して、膣やその周辺を刺激し、或いは、膣周辺の筋群をマッサージするための器具に関するものである。
【背景技術】
【０００２】
従来、女性が一人で使用し、性的刺激を得るための器具は周知である。これらの器具としては、単に男性器の形状を模した人工ペニス（ディルド）や、バイブレーターと呼ばれる電動で回転や振動による刺激を得るものが典型的である。そして、これらの器具は、その機能から、実際の性交とは異なる感覚を得たり、人体では再現不可能な過度な刺激を得ることができる。
【０００３】
しかし、これら従来の器具は、主に男性器を模した直線的なシャフト形状であり、その端部に持ち手が設けられることもあるが、通常、女性が一人で使用するには持ちづらく、手首を不自然な形で曲げながら動かす必要があるなど、不便な面があった。そのため、手首を動かすことに神経が削がれ、女性が性的刺激を得て自らを慰めることに集中できない場合がある。
【０００４】
一方、男性器を模したものには、医学療法に用いる膣ダイレーターと呼ばれるものがある。これは、膣内腔の狭窄、膣痙攣等の疾患の治療や、女性が恐怖心などから男性器を受け入れられない挿入障害において用いられるもので、比較的自然な姿勢で挿入でき、引き抜ける安心感と繊細な動きが可能なため、その治療や挿入訓練に有効なものである。
【０００５】
しかしながら、この膣ダイレーターも、長さや太さが段階的に設定されているものの、その基本形状は直線状であって、その使用法に関しても、説明や訓練が必要となるものであった。
【０００６】
また、近年、経産歴を有する女性や中高年の女性には、膣の緩みや膣圧の低下などが原因で、尿失禁の症状に苦しみ、悩んでいる女性が少なくない。これは、主に分娩などで骨盤低筋群や括約筋などの膣周辺の筋群が緩み、その結果、尿失禁等の症状が起こるものである。そして、上記膣の緩みや膣圧の低下は、夫婦生活においても、性的快感が得難くなるなどの問題があるが、膣周辺の筋群をマッサージし、強化することにより、尿失禁等の症状を予防、緩和することができる。
【０００７】
かかる現状のもと、性的刺激を得たり膣圧改善のために、例えば特許文献１や特許文献２に開示されているような、マッサージ器具や膣圧強化具が提案されている。
【０００８】
この特許文献１に開示されたマッサージ器具は、膣内に挿入可能な形状と大きさを有する挿入部によって、膣内奥壁を刺激できるようにしたものである。そして、これにより、膣内奥の子宮頸部の周りの膣壁に接触して指圧のような刺激を与え、感覚鍛錬の効果を得ようとするものである。
【０００９】
また、特許文献２に開示された膣圧強化具は、基本的に夫婦で使用するもので、膣内に挿入し、その素材の弾発力によって膣内に所要の圧力を加え、膣内圧を増強させて正常に戻すようにしたものである。
【先行技術文献】
【特許文献】
【００１０】
【特許文献１】特開２００７-２９６３００号公報
【特許文献２】登録実用新案第３１５７８０４号公報
【発明の概要】
【発明が解決しようとする課題】
【００１１】
上述したように、従来周知の直線的な器具では、実際の性交による刺激とは異なる刺激しか得られないため、より自然な性的刺激を得ることが困難であった。また、その形状から、持ちづらく、手首を不自然な形に曲げて動かす必要があり、刺激に集中して自らを慰めることが困難であった。一方、膣ダイレーターは、特定の症状の治療に用いるため、医師の指導の下で使用する必要があったほか、性的刺激を得るために使用するものではなかった。
【００１２】
また、上記特許文献１に記載のマッサージ器具は、主に子宮頸部周りの膣壁を刺激することのみを目的としたものであり、実際の性交による刺激とは異なる感覚が生じるものであり、例えば精神的理由による挿入障害等を改善することはできず、また、膣周辺の筋群をマッサージしたりする作用もないものであった。
【００１３】
さらに、特許文献２に記載の膣圧強化具は、その目的から明らかなように、夫婦で用いて、女性の膣内圧を増強させて正常に戻すことが主題であり、女性が一人で使用して、性的刺激を得て自らを慰めるために使用するものではなかった。
【００１４】
本発明は、かかる従来の器具等が有していた上述の諸問題を一気に解決するために発明をしたものであって、女性が一人で使用できるようにすると共に、自然の性交に近い性的刺激を得られるような器具を提供することを目的としている。併せて、この器具を使用することにより、挿入障害の改善を図り、挿入訓練に役立つと共に、膣周辺の筋群のマッサージ効果により、尿失禁症状の予防、緩和を図ることも目的としている。
【課題を解決するための手段】
【００１５】
上記諸目的を達成するため、本発明は、膣のマッサージ器具として、柔軟で弾力性のある合成樹脂素材によって膣に挿入可能な長さ及び太さを有する丸棒状の本体を形成し、当該本体の一方端に指掛け孔を有する指掛け部を設けると共に、その他の部分は少なくとも他方端を球面状とした挿入部とし、上記本体全体を一方向に湾曲させるという手段を採用した。
【００１６】
そして、上記湾曲する本体の、外側に凸の湾曲面は、自然なカーブを描く平滑曲面とし、内側に凹の湾曲面の挿入部には、１乃至複数の凹凸からなる凹凸曲面を形成するという手段を採用した。
【００１７】
具体的には、上記挿入部は、先端部には球面状とした肉球部を有すると共に、その肉球部から内側の凹凸曲面側に第一括れ部を形成するという手段を採用した。
【００１８】
さらに、上記挿入部は、凹凸曲面側に、上記第一括れ部に連続して肉厚部を形成し、さらに連続して第二括れ部を形成して、上記指掛け部に接続するという手段を採用した。
【００１９】
また、上記指掛け部は偏平として上記平滑曲面と凹凸曲面とを連通して指掛け孔を穿設すると共に、この指掛け孔は、その断面形状が四角形の各辺を内側に湾曲させた形状としてこの孔に挿入する指を挟持するようにするという手段を採用した。
【００２０】
そして、上記本体は、エラストマー又はシリコン樹脂で成形するという手段を採用した。
【００２１】
また、上記挿入部の内部に、屈曲可能な骨材を設けるという手段を採用した。
【００２２】
そして、上記骨材は、両端に凹球面を有する円柱材の間に球体を介在させ、複数の円柱材を屈曲可能に連続して形成したものであるという手段を採用した。
【発明の効果】
【００２３】
上記構成の膣のマッサージ器具によれば、全体を湾曲させた丸棒状の本体の一端に設けた指掛け部に中指を挿通して挿入部を手前側に構えることで、極めて自然な状態で膣に挿入することが可能となる。そのため、女性は、指先を動かすだけで性的刺激を得ることに集中できるので、高度なマッサージ効果を得ることができる。
【００２４】
また、外側の平滑曲面は膣に挿入して前後に出し入れする際に、滑らかな動きとする作用を奏し、一方、内側の凹凸曲面は、膣内部を適確に刺激することができる。
【００２５】
さらに、先端を球面状とした肉球部と、これに続いて第一括れ部を設けることで、肉球部の動きの自由度が増し、膣壁を刺激し、周囲の筋群をマッサージする効果が高まる。
【００２６】
また、肉厚部及び第二括れ部を設けることで、使用中にこのマッサージ器具が容易に抜け出さないようにすることができると共に、併せて、膣口の内側を刺激し、マッサージすることができる。
【００２７】
指掛け部に設ける指掛け孔を略四角形状とすることで、指を確実に挟持して包み込み、容易に抜けないようにして、挿入部の動きを確実なものとすることができる。
【００２８】
また、全体は、エラストマーやシリコン樹脂などの、柔軟で弾力性のある合成樹脂素材で形成するので、膣内部の形状に沿って適確な動きが可能となると共に、膣壁を傷つけることもない。
【００２９】
さらに、挿入部の内部に骨材を設けることで、芯がしっかりした状態で、且つ、動きを必要とする部分に自由度の高い動きを付与することが可能となった。
【００３０】
特に、両端に凹球面を有する円柱材と球体とを交互に組み合わせて骨材とすることで、滑らかな屈曲を可能としている。
【００３１】
そして、この膣のマッサージ器具によれば、手首を不自然なかたちに曲げることなく容易に膣に挿入可能であり、指先を前後させるだけで、性交のピストン運動に近い動きを再現することが可能であり、楽な姿勢で、自然な性的刺激を得ることができる。
【００３２】
また、恐怖心による挿入障害などがある場合も、自然な姿勢で挿入できるので、挿入に抵抗感が無くなり、その治療や挿入訓練に大きく寄与することができる。
【００３３】
また、前後に動かすことによって、膣周辺の筋群がマッサージされ、膣圧の向上が期待されるので、軽度な尿失禁症状の予防や緩和にも有効である。また、夫婦生活において、男性器に対する性的刺激を与える効果が高まる。
【図面の簡単な説明】
【００３４】
【図１】本発明に係る膣のマッサージ器具の実施形態を示すもので、（Ａ）は正面図、（Ｂ）は平面図、（Ｃ）は左側面図、（Ｄ）は右側面図である。
【図２】（ａ）は縦断面図、（Ｂ）は骨材を設けた場合の縦断面図である。
【図３】使用方法を示す説明図である。
【発明を実施するための形態】
【００３５】
以下、本発明に係る膣のマッサージ器具の好ましい実施形態について、添付した図面に従って説明する。
【００３６】
図１において、本発明の膣のマッサージ器具の本体１は、その全体形状が男性器をデフォルメしたような形状の丸棒状であり、一方向に緩やかに湾曲している。そして、外側に凸の湾曲面は、なだらかで自然なカーブを描く平滑曲面２とし、内側に凹の湾曲面は、さらに複数の凹凸からなる凹凸曲面３を形成している。この平滑曲面２は、膣に挿入して前後に出し入れするときに、滑らかな動きとなるように作用する。なお、全体の長さ及び太さは、膣に挿入しやすい長さ及び太さを適宜選択する。
【００３７】
そして、ほぼ全体は膣への挿入部４とし、一方端には偏平した指掛け部５を形成し、柔軟で弾力性のある合成樹脂素材によって一体に形成されている。上記挿入部４は、先端に、前端側を球面状とした肉球部４ａを設けるとともに、そこから内側の凹凸曲面３側に、先ず、第一括れ部４ｂを形成し、これに連続して肉厚部４ｃを形成し、さらに連続して第二括れ部４ｄを形成して、最後に上記指掛け部５に接続している。なお、上記肉厚部４ｃと第二括れ部４ｄについては、設けることが好ましいが、省略する場合もある。
【００３８】
肉球部４ａは、膣の内壁に接触してこれを刺激するために設ける。次に、第一括れ部４ｂは、上記肉球部４ａが膣の内壁に接触するときにある程度自由な動きをするようにするために設ける。また、肉厚部４ｃと第二括れ部４ｄは、膣口で係止され、使用中にこのマッサージ器具が膣から容易に抜け出さないように設けるもので、併せて、膣の入口の内側に接触して該部を刺激する作用も有する。
【００３９】
上記指掛け部５には、平滑曲面２と凹凸曲面３とを連通して指掛け孔５ａを穿設している。この指掛け孔５ａの形状は特に限定するものではないが、さまざまな指の太さに適合するように、四角形を基本として、各辺を内側に湾曲させて指先を挟持して包み込むような形状とすることが好ましい。
【００４０】
なお、この膣のマッサージ器具を形成する素材としては、例えば、エラストマーやシリコン樹脂を用いることができる。エラストマーの場合にはインサート成形によって、また、シリコン樹脂の場合には流し込み成形によって全体形状を形成することができる。
【００４１】
また、図２（Ａ）に示すように、全体を同じ素材で一体に形成することもあるが、同図（Ｂ）に示すように、挿入部４の内部に、屈曲可能な骨材６を設けることもある。
【００４２】
この骨材６としては、例えば、図示したように、両端に凹球面を有する円柱材６ａ同士の間に球体６ｂを介在させて、複数の円柱材６ａと球体６ｂを交互に連続させて形成する。このように球体６ｂを介して円柱材６ａを接続することにより、多節型の関節のように自由な動きをさせることができ、芯がしっかりした状態で、且つ、動きを必要とする部分に自由度の高い動きを付与することが可能である。但し、骨材の構成はこれに限定するものではなく、一定の自由度を持って屈曲可能な骨材であればよい。
【００４３】
上記形状の本発明に係るマッサージ器具は、図３に示すように、凹凸曲面３側を上にして、その位置で、上記指掛け孔５ａの凹凸曲面３側から中指（または人差し指）中程まで差し込んで手前向きに保持する。そして、そのまま挿入部４の肉球部４ａから第二括れ部４ｄまでを膣に挿入する。この動作は、上記保持状態で肉球部４ａと膣口が対向しているので、極めて容易、且つ、自然に挿入することができる。このとき、潤滑剤やローション、ゼリーなどを塗布しておけば、挿入がよりスムーズとなる。この状態で、手首ではなく指先を前後に動かして、膣周辺を刺激する。これにより、実際の性交のピストン運動に近い動きを再現することが可能となり、女性は楽な姿勢で自然な性的刺激を得ることができる。
【００４４】
また、女性が恐怖心などから男性器を受け入れることができない挿入障害において、従来は直線的形状の膣ダイレーターを用いていたが、本器具によれば、上述のように、自然な姿勢で挿入でき、引き抜ける安心感と繊細な動きをすることが可能であるため、その治療や挿入訓練にも有効である。
【００４５】
また、前後に動かすことによって、膣周辺の筋群がマッサージされ、膣圧の向上が期待されるので、軽度な尿失禁の症状の予防や緩和にも有効である。また、夫婦生活において、男性器に対する性的刺激を与える効果が高まる。
【００４６】
なお、図示しないが、内部にモーターや電池などからなる公知の振動発生部を設けることも可能である。この場合、前後の動きと振動の相乗効果で、より高い性的刺激を得ることが可能であると共に、筋群のマッサージ効果も高まるものである。
【符号の説明】
【００４７】
１    本体
２    平滑曲面
３    凹凸曲面
４    挿入部
４ａ  肉球部
４ｂ  第一括れ部
４ｃ  肉厚部
４ｄ  第二括れ部
５    指掛け部
５ａ  指掛け孔
６    骨材
６ａ  円柱材
６ｂ  球体
【図１】
2014094128.tif 000003
【図２】
2014094128.tif 000004
【図３】
2014094128.tif 000005